(57)【特許請求の範囲】
【請求項１】
近距離の外部情報機器との間で無線接続を確立して通信を行う移動通信端末装置であって、
センサから得られる情報に基づいて、予め設定された特定の場所に存在しているか否かを判定する場所判定手段と、
前記場所判定手段により特定の場所に存在していると判定された場合に、前記外部情報機器に対して無線接続を要求する通信制御手段と、
を備え、
前記通信制御手段の制御により無線接続を確立後、接続された通信路を介して前記外部情報機器と連携した動作を行い、
前記外部情報機器が前記無線接続の要求に対応可能な状態でない場合、
前記通信制御手段は、前記外部情報機器に対して、無線接続の要求に対応可能な状態への移行を指示し、移行が完了した後に、前記無線接続を要求する処理を実行することを特徴とする移動通信端末装置。
【請求項２】
前記センサから得られる情報を、移動速度、加速度、振動、周囲音、位置の少なくともいずれか１つを含む情報とすることを特徴とする請求項１に記載の移動通信端末装置。
【請求項３】
前記外部情報機器を車載器とした場合、
前記通信制御手段は、前記センサから得られる情報に基づき特定の自動車に搭乗していることが認識できた時点で、前記車載器に対して無線接続を要求することを特徴とする請求項１または２に記載の移動通信端末装置。
【請求項４】
所定の施設を一意に示す情報を読み取るリーダ、
をさらに備え、
前記場所判定手段は、さらに前記リーダが読み取った情報に基づき自身の存在する場所を特定することを特徴とする請求項１または２に記載の移動通信端末装置。
【請求項５】
外部情報機器との間で無線接続を確立して通信を行う場合の、携帯電話における無線接続方法であって、
センサから得られる情報に基づいて、予め設定された特定の場所に存在しているかどうかを判定する場所判定ステップと、
前記場所判定ステップの処理で特定の場所に存在していると判定された場合に、前記外部情報機器に対して無線接続を要求する接続要求ステップと、
を含み、
前記外部情報機器が前記無線接続の要求に対応可能な状態でない場合、
前記接続要求ステップでは、前記外部情報機器に対して、無線接続の要求に対応可能な状態への移行を指示し、移行が完了した後に、前記無線接続を要求する処理を実行することを特徴とする無線接続方法。
【請求項６】
前記センサから得られる情報を、移動速度、加速度、振動、周囲音、位置の少なくともいずれか１つを含む情報とすることを特徴とする請求項５に記載の無線接続方法。
【請求項７】
前記外部情報機器を車載器とした場合、
前記接続要求ステップでは、前記センサから得られる情報に基づき特定の自動車に搭乗していることが認識できた時点で、前記車載器に対して無線接続を要求することを特徴とする請求項５または６に記載の無線接続方法。
【請求項８】
前記場所判定ステップでは、さらに、所定の施設を一意に示す情報を読み取る機能を備えたリーダが読み取った情報に基づき自身の存在する場所を特定することを特徴とする請求項５または６に記載の無線接続方法。
【請求項９】
請求項１〜４のいずれか一つに記載の移動通信端末装置と、
前記移動通信端末装置と連携した動作を行う外部情報機器と、
を備えることを特徴とする通信システム。
【発明の詳細な説明】
【技術分野】
【０００１】
本発明は、近距離の外部情報機器との間で自律的に無線接続を確立して通信を行う移動通信端末装置に関するものである。
【背景技術】
【０００２】
下記特許文献１では、自動車に搭載された車載器が、エンジンキーの操作，ドアの開閉，座席重量センサなどによってユーザが搭乗したことを検知すると、携帯電話に対して問い合わせ通信を開始し、この問い合わせ通信に対して携帯電話が応答する、といった接続確立手順が提案されている。すなわち、この従来例では、携帯電話が、車載器からの問い合わせ通信を受け付ける状態であることが前提となっている。
【０００３】
【特許文献１】特開２００１−２１８２６２号公報
【発明の開示】
【発明が解決しようとする課題】
【０００４】
しかしながら、実際の携帯電話の実装においては、省電力やセキュリティ対策（通信受付状態になっているとセキュリティ攻撃を受けやすい）などの理由から、通常、問い合わせ通信を受け付けないように設定されている。したがって、車載器との間で通信を行うためには、ユーザが携帯電話のメニュー操作を行い、明示的に問い合わせ通信受付を可能とするモードに切替える必要がある。このため、上記従来の方法は、一般的な仕組みの携帯電話には適用が難しい、という問題があった。
【０００５】
さらに、上記従来の方法のように車載器側から問い合わせ通信を行う場合、ユーザのみならず、その周囲の携帯電話に対しても不要な問い合わせ通信を行うこととなり、効率的でない、という問題があった。
【０００６】
本発明は、上記に鑑みてなされたものであって、外部情報機器との無線接続を自律的に確立することが可能な移動通信端末装置，無線接続方法および通信システムを得ることを目的とする。
【課題を解決するための手段】
【０００７】
上述した課題を解決し、目的を達成するために、本発明は、近距離の外部情報機器との間で無線接続を確立して通信を行う移動通信端末装置であって、センサから得られる情報に基づいて、予め設定された特定の場所に存在しているか否かを判定する場所判定手段と、前記場所判定手段により特定の場所に存在していると判定された場合に、前記外部通信機器に対して無線接続を要求する通信制御手段と、を備え、前記通信制御手段の制御により無線接続を確立後、接続された通信路を介して前記外部通信機器と連携した動作を行うこと、を特徴とする。
【発明の効果】
【０００８】
この発明によれば、通常時における移動通信端末装置の省電力状態を保持することができ、また、セキュリティ攻撃を受ける可能性を著しく減らすことが可能となる、という効果を奏する。
【発明を実施するための最良の形態】
【０００９】
以下に、本発明にかかる移動通信端末装置の実施の形態を図面に基づいて詳細に説明する。なお、この実施の形態によりこの発明が限定されるものではない。
【００１０】
実施の形態１．
図１は、本発明にかかる移動通信端末装置の一例として動作する携帯電話の構成例を示す図である。図１の携帯電話１は、センサ部２と、場所判定部３と、通信制御部４と、通信部５と、機器連携部６と、を備えている。また、センサ部２は、たとえば、現在の位置（緯度経度）を検知する位置センサ２ａ，移動速度を検知する加速度センサ２ｂ，振動を検知する振動センサ２ｃ，周囲の音を収集する周囲音センサ２ｄ、といった各種センサを備えており、これらのセンサから出力される生データを収集し加工して、位置情報，加速度情報，振動情報，周囲音情報等、場所判定部３において処理可能な情報を生成する。
【００１１】
場所判定部３は、特定の場所に存在することを判定するための場所判定条件を保持し、センサ部２から通知される情報に基づいて、定期的に携帯電話１（もしくはそのユーザ）が存在する場所を判定する。携帯電話１が特定の場所に存在すると判定された場合、通信制御部４は、通信部５を用いて、近距離の外部情報機器との間に無線接続を確立するための所定の手順を実行する。機器連携部６は、無線接続が確立された状態で、接続された通信路を介して外部情報機器との間で機器連携に必要な情報を交換する。ここで、場所とは、純粋な位置には限られず、予め定められた特性を有する施設などをも含む。また、近距離とは、一般的に、到達距離が百メートル程度またそれ以下のことをいう。
【００１２】
また、図１では、外部情報機器の一例として車載器１０が記載されている。車載器１０は、自動車に搭載されたカーナビゲーションシステムやカーオーディオ装置などの機器であって、無線を介して携帯電話１と接続可能である。本実施の形態では、場所判定部３は、場所判定条件として、「自家用車に搭乗している」と判定するための搭乗条件を備えている。
【００１３】
ここで、以上のように構成された携帯電話１が、自身の存在場所を自律的に判定する場合の動作について説明する。
【００１４】
図２は、携帯電話１の場所判定部３が、携帯電話１のユーザが自動車に搭乗しているか否かを判定するためのフローチャートである。場所判定部３は、センサ２から通知される情報に基づいて、図２のフローチャートを随時実行し、上述の搭乗条件について判定する。ここでは、ユーザが携帯電話１を所持して自動車に搭乗し、自動車が走り出した後に、図２のフローチャートが実行される場合を想定する。
【００１５】
まず、携帯電話１の場所判定部３は、加速度情報に基づいて移動速度が所定の値を超えているか否かを判定し、走行中であると判断した場合（ステップＳ１：Ｙｅｓ）、つぎに、位置情報に基づいて自動車が道路上に存在しているか否かを判定する。道路上を走行していた場合（ステップＳ２：Ｙｅｓ）、場所判定部３は、つぎに、周囲音情報に基づいて周囲音が自動車特有の音であるか否かを判定する。自動車に搭乗していると判断した場合（ステップＳ３：Ｙｅｓ）、場所判定部３は、つぎに、振動情報に基づいて振動パターンが予め記憶されている振動パターンに合致しているか否かを判定する。そして、ユーザ固有の振動パターンであると判断した場合（ステップＳ４：Ｙｅｓ）、場所判定部３は、この段階で、「自家用車に搭乗している」と判断する（ステップＳ５）。なお、上記「予め記憶されている振動パターン」とは、携帯電話１に蓄積されたユーザ固有（自家用車）の振動パターンであって、たとえば、車載器などから予め取得しておく。また、携帯電話１が振動パターンを記録するための機能を備えることとしてもよく、この場合はその機能から予め振動パターンを取得しておく。
【００１６】
一方、走行中ではない場合や（ステップＳ１：Ｎｏ）、道路上を走行していない場合や（ステップＳ２：Ｎｏ）、自動車に搭乗していない場合や（ステップＳ３：Ｎｏ）、自家用車の振動パターンでない場合（ステップＳ４：Ｎｏ）、のいずれかであると判断した場合、場所判定部３は、「自家用車に搭乗していない」と判断する（ステップＳ６）。
【００１７】
なお、これら４つの条件を設ける理由は、自動車に乗っていても車載器１０に無線接続する必要がない様々なケースに対応するためである。たとえば、ステップＳ１の条件は、自転車に乗っている場合などを除くためである。また、ステップＳ２の条件は、所定の速度で移動する自動車以外の乗り物（たとえば、電車など）に乗車した場合などを除くためである。ステップＳ３の条件は、携帯電話の接続先である車載器１０を搭載していない自動車（たとえば公共バスなど）に乗車した場合などを除くためである。ステップＳ４の条件は、たとえばタクシーや友人の自動車などに同乗者として乗った場合などを除くためである。このように、複数の条件を用いることで、日常的に自分が運転する自動車を運転したときのみ、自動的に無線接続を行うようにしている。
【００１８】
つづいて、以上のように構成された携帯電話１が、車載器１０と無線接続を確立するときの動作について説明する。図３は、無線接続を確立するための手順を示すシーケンス図（その１）である。
【００１９】
たとえば、携帯電話１の場所判定部３が、「ユーザが自家用車に搭乗している」と判断し、通信制御部４にその旨を通知すると、通信制御部４は、通信部５を用いて、携帯電話１と車載器１０との間に無線接続を確立するための制御を行う。まず、通信制御部４は、接続の開始を要求するための「起動要求」を生成し、その「起動要求」を、通信部５を介して車載器１０に向けて送信する（ステップＳ１０）。車載器１０は、接続が可能な状態であれば、通信に必要な車載器１０のアドレス（他の通信機器と区別するための識別子）を付加した「起動受付」を返信する（ステップＳ１１）。
【００２０】
つぎに、「起動受付」を受信した通信制御部４が、認証に必要な情報を交換するために、「認証要求」を、通信部５を介して送信し（ステップＳ１２）、この「認証要求」を受信した車載器１０が、「認証情報」を返信する（ステップＳ１３）。そして、「認証情報」を受信した通信制御部４が、「認証確認通知」を送信する（ステップＳ１４）。これにより、車載器１０は、携帯電話１によって自身が認証されたことを認識することができる。
【００２１】
その後、通信制御部４が通信部５を介して「接続要求」を送信すると（ステップＳ１５）、車載器１０は、以降の通信に必要な通信速度や符号復号化方式などの情報を付加した「接続受付」を返信する（ステップＳ１６）。
【００２２】
上記各ステップを全て実行すると、携帯電話１と車載器１０の間には無線通信路が確立された状態となるので、携帯電話１の機器連携部６は、この通信路を用いた車載器１０との機器連携が可能となる。機器連携としては、たとえば、（１）携帯電話１の電話帳に格納されている電話番号を車載器１０に転送し、車載器１０のハンズフリー電話機能を用いて運転中に携帯電話１を操作することなく電話をかける、（２）携帯電話１に格納された音楽データを車載器１０に転送し、自動車のオーディオ装置で音楽を聴く、（３）車載器１０が有する地図データの一部を携帯電話１に転送し、その地図情報を表示する、などの内容が考えられる。
【００２３】
ここで、携帯電話１と車載器１０との間に無線接続を確立するときの動作において、車載器１０が起動受付を拒否した場合の動作についてさらに説明する。図４は、無線接続を確立するための手順を示すシーケンス図（その２）である。
【００２４】
図３におけるシーケンスでは、「起動要求」を受信した車載器１０が「起動受付」を返信していたが（ステップＳ１１）、図４のシーケンスでは、車載器１０が「起動受付拒否」を返信する（ステップＳ２０）。これは、車載器１０自らが「起動要求」を送付することを想定したモードであり、「起動要求」を受け付けるモードになっていないことによって起こるケースである。この場合、携帯電話１の通信制御部４は、車載器１０へ向けて「役割変更要求」を送信する制御を行うことで、「起動要求」を受け付けるモードへの移行を要求する（ステップＳ２１）。「役割変更要求」を受信した車載器１０は、「起動要求」を受け付けるモードへ移行後、「役割変更受付」を携帯電話１に送信する（ステップＳ２２）。以降の処理は、上述したステップＳ１０〜ステップＳ１６の動作と同様である。
【００２５】
以上説明したように、本実施の形態では、携帯電話が、各種センサからの情報に基づき無線接続を行うべき状況になったことを自律的に判断し、その時点で車載器に対して無線接続を要求することとした。これにより、通常時における携帯電話の省電力状態を保持することができる。また、必要なときに携帯電話側から起動を要求しているので、すなわち、常時通信受付状態で車載器からの問い合わせを待つ必要がないため、セキュリティ攻撃を受ける可能性を著しく減らすことが可能となる。
【００２６】
実施の形態２．
実施の形態１では、外部情報機器として車載器を例にとり、携帯電話が、無線接続を行うべき状況になったことを自律的に判断して車載器に接続を要求する場合について説明した。本実施の形態では、外部情報機器として、特定の施設に設置された情報機器を想定する場合について説明する。
【００２７】
図５は、本発明にかかる移動通信端末装置の一例として動作する携帯電話の構成例を示す図である。図５の携帯電話１Ｂは、図１の携帯電話１と比較すると、場所判定部３の代わりに場所判定部３Ｂを備え、さらに、ＩＣチップからの情報を読み取るリーダ７を備える点が異なっている。また、携帯電話１Ｂが通信する相手としては、車載器１０の代わりに情報機器１０Ｂを想定する。情報機器１０Ｂは、特定の施設に設置された外部情報機器である。
【００２８】
本実施の形態では、場所判定部３Ｂが、特定の場所に存在することを判定するための場所判定条件を新たに保持する。たとえば、「駅構内にいること」を判定するために、（１）改札口を入札したことがリーダから通知された、（２）振動が所定の閾値以下である、という条件が設定可能である。また、「プラットフォームにいること」を判定するために、（１）改札口を入札したことがリーダから通知された、（２）周囲音が特定の音である、という条件が設定可能である。また、「電車に乗っていること」を判定するために、（１）改札口を入札したことがリーダから通知された、（２）振動が所定の閾値以上である、という条件が設定可能である。また、「美術館にいること」を判定するためには、リーダからその旨が通知された、という条件が設定可能である。場所判定部３Ｂは、これらの条件に基づき、携帯電話１Ｂが存在する場所を判定する。
【００２９】
また、これらの施設や場所における機器連携の例は、様々に想定できる。たとえば、改札口を入札したことが通知された場合、駅の運行表示機器と通信を行い、携帯電話１Ｂの表示部に、列車ごとの乗り場の案内や運行状況などを表示させることができる。また、美術館では、設置された情報機器と通信を行い、各展示品の前で、その展示品に関する詳細情報を携帯電話１Ｂに表示させることができる。また、電車内では、ワイヤレスヘッドフォンに自動的に接続し、音楽を再生することができる。
【００３０】
以上説明したように、本実施の形態では、特定の施設や場所に存在することを自律的に判定する条件を記憶し、車載器に限定されず、設置された情報機器との間で無線接続を確立することとした。これにより、実施の形態１と同様の効果に加えて、生活のあらゆる場面で、その場所や状況において有用な情報を、携帯電話を用いて利用可能となる。
【００３１】
なお、上記実施の形態では、センサやリーダからの情報を複数用いる例について示したが、移動速度、加速度、振動、周囲音、位置といった情報およびリーダが読み取った情報のうち、いずれか１つを用いることとしてもよい。
【産業上の利用可能性】
【００３２】
以上のように、本発明にかかる移動通信端末装置は、携帯電話等の通信装置として有用であり、特に、近距離の外部情報機器との間で無線接続を確立して通信を行う場合に適している。
【図面の簡単な説明】
【００３３】
【図１】本発明にかかる移動通信端末装置の一例として動作する携帯電話の構成例を示す図である。
【図２】携帯電話のユーザが自動車に搭乗しているか否かを判定するためのフローチャートである。
【図３】無線接続を確立するための手順を示すシーケンス図（その１）である。
【図４】無線接続を確立するための手順を示すシーケンス図（その２）である。
【図５】本発明にかかる移動通信端末装置の一例として動作する携帯電話の構成例を示す図である。
【符号の説明】
【００３４】
１  携帯電話
２  センサ部
２ａ  位置センサ
２ｂ  加速度センサ
２ｃ  振動センサ
２ｄ  周囲音センサ
３，３Ｂ  場所判定部
４  通信制御部
５  通信部
６  機器連携部
７  リーダ
１０  車載器
１０Ｂ  情報機器
【図１】
0005137663.tif 000002
【図２】
0005137663.tif 000003
【図３】
0005137663.tif 000004
【図４】
0005137663.tif 000005
【図５】
0005137663.tif 000006